(57)【要約】【課題】  明るさムラなく照明できる照明付き鏡を提供する。【解決手段】  鏡本体に鏡面部と透光部を設け、ＬＥＤは鏡本体の裏面又は鏡本体の背面側の収容部内に設け、鏡本体の裏面のうち透光部以外の箇所と収容部内面の双方又はいずれか一方にＬＥＤ光を反射できる反射材を設け、反射材からの反射光が透光部からその前方に照射されて鏡の前方が照明されるようにした。二以上のＬＥＤが基板に搭載されたＬＥＤモジュールをケース内に収容し、そのケースを鏡本体の裏面又は鏡本体の背面側の収容部内に取付けた。ケースを熱伝導性に優れた金属製とし、そのケースを熱伝導性のある接着材で鏡本体の裏面又は収容部内に接着固定した。ＬＥＤの発光面先方に導光板を設け、導光板の出射面を鏡本体の透光部の裏側に配置して、導光板内を導光されて導光板の出射面から出射されるＬＥＤ光が鏡本体の透光部から前方に照射されるようにした。【選択図】図１
2014203688.tif 000002
【特許請求の範囲】
【請求項１】
鏡本体の背面側に配置されたＬＥＤからの照射光が鏡本体の透光部から出射されて、鏡の周囲（鏡を設置した室内を含む。）を照明することのできる照明付き鏡において、
鏡本体は鏡面部とＬＥＤの出射光が鏡本体の外部に照射される透光部を備え、
透光部は鏡本体の一部に設けられ、
ＬＥＤは鏡本体の裏面又は鏡本体の背面側の収容部内に設けられ、
鏡本体の裏面のうち透光部以外の箇所と収容部内面の双方又はいずれか一方に、ＬＥＤ光を反射できる反射材が設けられ、
反射材からの反射光が前記透光部からその前方に照射されて少なくとも鏡の前方が照明されるようにした、
ことを特徴とする照明付き鏡。
【請求項２】
請求項１記載の照明付き鏡において、
収容部は鏡本体の背面側に取付けた箱状の筐体又は、鏡本体の裏面側を収容できるように壁面に設けた凹部である、
ことを特徴とする照明付き鏡。
【請求項３】
請求項１又は請求項２記載の照明付き鏡において、
二以上のＬＥＤが基板に搭載されたＬＥＤモジュールがケース内に収容され、そのケースが鏡本体の裏面又は鏡本体の背面側の収容部内に取付けられた、
ことを特徴とする照明付き鏡。
【請求項４】
請求項１から請求項３のいずれか１項に記載の照明付き鏡において、
ケースが熱伝導性に優れた金属製であり、そのケースが熱伝導性のある接着材で鏡本体の裏面又は収容部内に接着固定された、
ことを特徴とする照明付き鏡。
【請求項５】
請求項１から請求項４のいずれか１項に記載の照明付き鏡において、
ＬＥＤの発光面先方に導光板が設けられ、その導光板の出射面が鏡本体の透光部の裏側に配置されて、導光板内を導光されて導光板の出射面から出射されるＬＥＤ光が、鏡本体の透光部からその前方に照射されるようにした、
ことを特徴とする照明付き鏡。
【請求項６】
請求項１から請求項５のいずれか１項に記載の照明付き鏡において、
鏡本体又はその近くに人感センサを備えた、
ことを特徴とする照明付き鏡。
【発明の詳細な説明】
【技術分野】
【０００１】
本発明は鏡本体の背面側に配置されたＬＥＤからの照射光を鏡本体に設けられた透光部から視認可能な照明付き鏡に関し、通常の鏡として使用できるのは勿論のこと、鏡を設置した室内を照明することもできる照明付き鏡に関する。
【背景技術】
【０００２】
鏡本体の背面側に配置されたＬＥＤからの照射光が、鏡本体の透光部から照射される照明付き鏡が知られている（特許文献１、２）。
【０００３】
特許文献１記載の照明付き鏡は、鏡本体の一部に透光部を設けると共に、鏡本体の背面側であって透光部の真後ろにＬＥＤを設け、当該ＬＥＤ光が透光部を通して鏡の前面側から照射されるようにしたものである。
【０００４】
前記特許文献２記載の照明付き鏡は、鏡面の周辺部に透光部を有するものであり、鏡の背面側に配置されたＬＥＤ光が、透光部を通して前面側に照射されるように構成されたものである。
【先行技術文献】
【特許文献】
【０００５】
【特許文献１】特開２００８−２２０４９３号公報
【特許文献２】実用新案登録第３１６７５６２号公報
【発明の概要】
【発明が解決しようとする課題】
【０００６】
前記特許文献１及び２記載の照明付き鏡はいずれも、ＬＥＤが透光部の真後ろに、透光部に向けて設けられているため、直進性のあるＬＥＤ光が透光部から鏡前面にビーム状に出射して眩しくなるきらいがある。また、点照射になるため透光部のうちＬＥＤ光が透過する部分だけが局部的に明るくなり、透光部全体が均一に明るくなりにくく、透光部の明るさにムラができやすい。
【０００７】
本発明の目的は、ＬＥＤを使用しても鏡の透光部に明るさムラがなく、透光部全般が略均一に照明される照明付き鏡を提供することにある。また、鏡の曇り止め防止機能を付加することもできるようにすることにある。
【課題を解決するための手段】
【０００８】
本発明の照明付き鏡は、鏡本体の背面側に配置されたＬＥＤからの照射光（ＬＥＤ光）が鏡本体の透光部からその前方に出射されて、少なくとも鏡の前方を照明することのできる照明付き鏡において、鏡本体は鏡面部とＬＥＤ光が鏡本体の外部に照射される透光部を備え、透光部は鏡本体の一部に設けられ、ＬＥＤは鏡本体の裏面又は鏡本体の背面側の収容部内に設けられ、鏡本体の裏面のうち透光部以外の箇所と収容部内面の双方又はいずれか一方に、ＬＥＤ光を反射できる反射材が設けられ、反射材からの反射光が前記透光部から出射されて鏡の周囲が照明されるようにしたものである。
【０００９】
反射材にはフィルム状、シート状、板状といった各種形状（以下まとめて「シート状」という。）のもの、各種材質製のものを使用することができる。反射材には塗料を使用することもできる。シート状の場合は鏡本体の裏面のうち透光部以外の部分と収容部内面の双方又はいずれか一方に貼り付けて使用することができ、塗料の場合はそれらの箇所にコーティング（塗布）して使用することができる。
【００１０】
鏡本体の透光部は、透明、半透明、不透明のいずれであってもよく、着色されていても、着色されていなくてもよい。透光部の位置、透光部の形状、広さ等は任意に設計することができる。
【００１１】
前記収容部は鏡本体の背面側に取付けることのできる箱状の筐体であってもよく、鏡本体の裏面側を収容できるように壁面に設けられた凹部であってもよい。
【００１２】
ＬＥＤの使用数は鏡本体の透光部の形状、サイズ、必要な照明の明るさに合わせて選択することができる。多くのＬＥＤが基材（プリント基板）に搭載されたＬＥＤモジュールを使用する場合は、ＬＥＤモジュールをケース内に収容し、そのケースを鏡本体の裏面又は鏡本体の背面側の収容部内に取付けることができる。この場合、ケースを熱伝導性に優れた材質製、例えば、アルミ製、炭素繊維が混入された樹脂製のものにし、それを熱伝導性のある接着剤や両面テープ等で鏡本体の裏面や前記収容部内に接着固定するのが望ましい。ＬＥＤモジュールが収容配置されたケース内には透明な防塵材や防水材等（充填材）を充填して、ＬＥＤを被覆することもできる。
【００１３】
ＬＥＤは発光面を鏡本体の透光部以外の箇所、好ましくは反射材に向けて配置して、反射材で反射されたＬＥＤ光が鏡本体の透光部からその前方に照射されるようにして透光部が明るさムラなく略均一の明るさになるようにするのが望ましい。
【００１４】
ＬＥＤの発光面先方に導光板を設け、その導光板の出射面を鏡本体の透光部の裏面側に配置して、導光板全面に導光されてその導光板の出射面から出射されるＬＥＤ光が、鏡本体の透光部から前方に照射されるようにすることもできる。
【００１５】
鏡本体の表面や鏡本体の外側に人感センサ設けて、人を感知したときにＬＥＤが点灯するようにすることもできる。
【発明の効果】
【００１６】
本発明の照明付き鏡には、次の効果がある。
（１）反射材で反射されたＬＥＤ光の反射光が、鏡本体の透光部から照射されるようにしてあるため、透光部全般が明るさムラなく略均一の明るさになる。
（２）ＬＥＤモジュールが収容配置されたケース内に充填材を充填して、ＬＥＤモジュールを被覆した場合、洗面所や浴室等の水回り、粉塵等が飛散し易い工場などでの使用に適した鏡となる。
（３）反射材があるため、ＬＥＤ光が反射板での反射により増光されて透光部を透過する光が、ＬＥＤ光そのものよりも明るくなる。
（４）ＬＥＤの発光部先方に導光板を設けた場合、ＬＥＤ光が導光板内で散乱して導光板全般に広がるため、鏡本体の透光部から出る出射光に明るさムラがない。
（５）ＬＥＤからの発熱で鏡の曇りを防止することもできる。
【図面の簡単な説明】
【００１７】
【図１】（ａ）は本発明の照明付き鏡の一例を示す斜視図、（ｂ）は（ａ）のＸ−Ｘ断面図。
【図２】（ａ）は本発明の照明付き鏡の一例を示す正面図、（ｂ）は（ａ）のＹ−Ｙ断面図、（ｃ）は（ａ）の照明付き鏡の鏡本体の裏面図。
【図３】図２（ａ）のＺ−Ｚ断面図。
【図４】（ａ）は本発明の照明付き鏡の他例を示す正面図、（ｂ）は（ａ）の照明付き鏡の鏡本体の裏面図、（ｃ）は（ｂ）のＴ−Ｔ断面図。
【発明を実施するための形態】
【００１８】
（実施形態）
本発明の照明付き鏡１の実施形態を、図１〜図４を参照して説明する。一例として図１〜図３に示す照明付き鏡１は、箱形の筐体（収納部）２の前面に、鏡面部３ａと透光部３ｂとを備えた鏡本体３が設けられたものである。筐体２の内面には反射材７（図２（ｂ）（ｃ）、図３）が設けられ、その反射材７で反射されたＬＥＤ光が透光部３ｂからその前面側に照射されるようにしてある。
【００１９】
鏡本体３は縦長であり、その幅方向中央部分に鏡面部３ａが、幅方向両端寄りの箇所に縦長方形の透光部３ｂが設けられている。鏡面部３ａは既存の鏡面加工方法で形成することも新たな鏡面加工方法でも形成することができる。透光部３ｂは鏡面加工を施さずに基材（ガラス板、樹脂板）のままにしておくことにより形成することもできる。透光部３ｂは透明でも半透明でも不透明でもよく、着色されていても、されていなくてもよい。透光部３ｂは鏡本体３の任意の箇所に設けることができる。
【００２０】
前記実施形態では、透光部３ｂを縦長方形状としてあるが、透光部３ｂは横長方形状としてもよいし、それ以外の形状、例えば、円形、星形、月形、波形といった図形、模様といった各種形状、デザインとすることができる。場合によっては宣伝用の社名や漢字、アルファベット、平仮名、片仮名等（文字）や数字等とすることもできる。
【００２１】
鏡本体３の裏面には、複数個のＬＥＤ９がプリント基板１０に実装されたＬＥＤモジュール４が貼り付けられている。ＬＥＤモジュール４は、図３に示すような側面視コ字状のモジュールケース（以下「ケース」という。）５内に収容され、そのケース５を鏡本体３の裏面に接着固定してある。ケース５はアルミ製をはじめとして各種材質製とすることができるが、熱伝導性に優れたものが適する。例えば、樹脂に熱伝導性に優れた炭素繊維を混合した材料をコ字状に形成したもの等を用いることができる。
【００２２】
ＬＥＤモジュール４が収容配置されたケース５内には、防水用或いは防塵用のポッティング材（充填材）６を充填して、ＬＥＤモジュール４をケース５内に固定してある。充填材６には各種のものを用いることができ、例えば、信越化学株式会社製の「ＫＥ−１０９Ｅ−Ａ／Ｂ」を用いることができる。この充填材６は無色透明であるため、ＬＥＤモジュール４の表面側に充填してもＬＥＤ光が減光されることは殆どない。充填材６は用途に応じて充填するか否かを選択すればよいが、洗面所や浴室、トイレといった水回りや、粉塵が飛散しやすい工場等に設置する場合には充填するのが好ましい。
【００２３】
ＬＥＤモジュール４が収容されたケース５は、鏡本体３の裏面の幅方向中央付近に間隔をあけて二本平行に設けられている。ケース５は図２（ｂ）（ｃ）及び図３に示すようにＬＥＤ９の発光面を鏡本体３の側方に向けて取付けてある。具体的には、コ字状のケース５の一方の側面５ａを鏡本体３の裏面に接着して、ＬＥＤモジュール４の発光面を筐体２の内周面（図３の左右方向）に向けてある。ケース５は熱伝導性に優れた材質、例えば、アルミ製、炭素繊維が混入された樹脂製として、ＬＥＤ９の発熱が鏡本体３に伝達され易くするのが望ましい。これにより、鏡の曇りを防止することができる。
【００２４】
ＬＥＤモジュール４の電源には商用電源を用いることができる。この場合、電源コードを筐体２の側壁から外側に引き出しておき、電源コード先端のプラグをコンセントに差し込めるようにしておけばよい。
【００２５】
この実施形態では、透光部３ｂを鏡本体３の幅方向両端寄りの箇所に設けてあるため、ケース５の開口部側を図２（ｃ）及び図３の左右方向に向けてあるが、透光部３ｂが鏡本体３の上下両端寄りの箇所にある場合は、ケース５の開口部側を図２（ｃ）及び図３の上下方向に向けることができる。ケース５内のＬＥＤ９をどちらに向けるかは、透光部３ｂの位置との関係で設計することができるが、少なくとも、透光部３ｂの真後ろの位置は避けて、ＬＥＤ光が透光部３ｂから直接出射しないようにするのが望ましい。
【００２６】
ケース５は接着材１３で鏡本体３の裏面に固定してある。この実施形態では接着材１３にＤＩＣ株式会社製の両面テープ（ＴＣＰ−１２５ＮＲ）を使用したが、接着材１３はこれ以外の既存の両面テープや接着剤等であってもよい。いずれの場合も、熱伝導性や難燃性の高いものを用いて、ＬＥＤからの発熱を鏡本体３に伝熱しやすくして、その発熱を鏡の曇り止めに利用することができる。
【００２７】
筐体２は前面開口の箱型であり、その開口面に鏡本体３を配置固定できるようにしてある。筐体２の内周壁及び底内面にはＬＥＤ光を反射するための反射材７が設けられている。反射材７には既存の反射シートや反射塗料等を用いることができる。反射シートは樹脂シートや、金属板に反射剤が塗布され或いは反射フィルムが貼られたものを使用することができる。図示した例では東レ株式会社製のルミナー（登録商標。以下同じ。）を使用してあるが、他の反射材を用いることもできる。反射材はシートを貼るのではなく、塗料を塗布（コーティング）することもできる。反射材７は筐体２の全内周壁に設けるのが好ましいが、常に全内周壁に設ける必要はなく、ＬＥＤモジュール４の数や取付け位置に応じて部分的に設けることもできる。
【００２８】
反射材７は鏡本体３の裏面にも設けることができる。図３に示す例では、鏡本体３の裏面のうちケース５の取付け部分と、透光部３ｂ以外の箇所に、東レ株式会社製の反射シート（ルミナー）を貼り付けてある。この場合、反射材７を鏡本体３の裏面に塗布する鏡面形成剤と兼用とすることもできる。
【００２９】
筐体２はステンレスやアルミといった各種材質のものを用いることができる。筐体２内に水や粉塵が入りこまないよう、筐体２と鏡本体３の間にゴムパッキンなどのシーリング材８を設けておくのが好ましい。
【００３０】
本発明の照明付き鏡１では、図４（ａ）〜（ｃ）に示すように、ＬＥＤ９の発光方向先方に導光板１１を設けることもできる。導光板１１はＬＥＤ光を乱反射して拡散できるものであればよく、既存の或いは新規のものを用いることができる。導光板１１は、例えば、ＬＥＤモジュール４が収容されたケース５と対向する位置に、ケース５と同様の構造の保持ケース１２を設け、その保持ケース１２とケース５の間に配置することができる。
【００３１】
本発明の照明付き鏡１では、図１（ｂ）に示すように鏡本体３の背面に筐体２を設けた場合は、ＬＥＤモジュール４を筐体２内に配置固定することもできる。この場合も、ＬＥＤ光が反射材７で反射され易い向きに設けるのが望ましい。
【００３２】
筐体２は必ずしも図３に示すような箱型でなくてもよく、例えば、室内の壁面に設けた凹部であってもよい。この場合は、この凹部を筐体２として、凹部の内周面にシート状の反射材を貼り付けるとか、液状の反射材を塗布する等することができる。また、ＬＥＤモジュール４を凹部に取付けることもできる。
【００３３】
鏡本体３の表面、或いはその外側近傍、或いは鏡を配置した室内に、人感センサを設けて、それにより、人が感知されたらＬＥＤ９が点灯するようにしておくこともできる。
【００３４】
本発明の照明付き鏡１は例えば室内の壁面に取付けて使用することができる。その取付けの一例としては、室内の壁面に吊下げたり、壁面に設けた凹部内に嵌め込んで取り付けたりすることもできる。壁面に吊下げる場合は壁面との間に隙間をあけるのが望ましい。可能であれば、照明付き鏡１に支持脚を設けて室内に立てておくことができるようにすることもできる。
【産業上の利用可能性】
【００３５】
本発明の照明付き鏡は、通常の鏡と同様、洗面所、浴室、トイレ、試着室、理容室、美容室等に設置して使用することができる。可能であれば、屋外に設置することもできる。
【符号の説明】
【００３６】
１    照明付き鏡
２    筐体
３    鏡本体
３ａ  鏡面部
３ｂ  透光部
４    ＬＥＤモジュール
５    モジュールケース（ケース）
５ａ  （モジュールケースの）一方の側面
６    充填材
７    反射材
８    シーリング材
９    ＬＥＤ
１０  プリント基板
１１  導光板
１２  保持ケース
１３  接着材
【図１】
2014203688.tif 000003
【図２】
2014203688.tif 000004
【図３】
2014203688.tif 000005
【図４】
2014203688.tif 000006